(57)【特許請求の範囲】
【請求項１】
流量調整槽から回分槽に原水が移送される原水の流入工程と、回分槽内でバッ気・攪拌するバッ気・攪拌工程と、回分槽内での活性汚泥の沈殿工程および上澄水の排出工程を１サイクルとして、１日当り所定のサイクル数で、かつ複数の回分槽を使用した複数の系列によって回分的に連続処理する回分式活性汚泥法において、前記流量調整槽に１サイクル分の処理原水量が存在しない場合に、１サイクルに相当する時間分だけ前記複数の系列を順番に待機させたのち、前記流量調整槽に前記１サイクル分の処理原水量が存在していることを確認して、待機させていた系列をスタートさせることを特徴とする回分式活性汚泥法の運転方法。
【発明の詳細な説明】
【０００１】
【発明の属する技術分野】
本発明は、回分式活性汚泥法の運転方法に関する。
【０００２】
【従来の技術】
従来より、回分式活性汚泥法においては、図１に示す流量調整槽１に流入して来たスクリーニング済みの原水を原水移送ポンプＰによって圧送し、自動細目スクリーン２でスクリーニングしたのち計量槽３に送り込み、計量槽３から必要原水量を回分槽４に移送するとともに、余剰分はオーバフロ通路５より流量調整槽１に還流分配する。回分槽４では、計量槽３から移送された原水をバッ気・攪拌したのち、活性汚泥を沈殿させ上澄水の排出と汚泥の引抜などを回分的に行う。
【０００３】
このような回分式活性汚泥法を実施するためには、原水移送ポンプＰの１日当りの稼働時間および上澄水の排出時間を８時間とした上で、１日当りの処理水量を超える移送能力をもつ原水移送ポンプＰを選定し、１日当りの原水移送量を１日当りの運転サイクル数で除し、１サイクル当りの原水移送ポンプＰの運転時間を求め、求められた１サイクル当りの運転時間に相当して原水移送ポンプＰを運転して、流量調整槽２から計量槽４に１サイクル当りの原水移送量を超える原水、つまり、１サイクル当りの処理量を超える原水を送り込む運転制御がなされる。
【０００４】
具体的には、１日当りの運転サイクル数として、１サイクル、２サイクル、３サイクルおよび４サイクルなどが実施されている。図４に示すように、原水の流入工程（原水移送ポンプＰの運転工程）０〜ｔ１、バッ気・攪拌工程０〜ｔ２、活性汚泥の沈殿工程ｔ２〜ｔ３、および上澄水の排出工程ｔ３〜ｔ４として、１日２４時間（ＴＤ）当りの原水移送ポンプＰの最大稼働時間Ｔ１と、上澄水の排出時間Ｔ２は、それぞれ前述のように８時間とし、原水移送ポンプＰの運転工程が終了する時間ｔ１と、バッ気・攪拌工程が終了する時間ｔ２の間に、１サイクル当り少なくとも１時間（Ｔ３）が必要であり、沈殿工程ｔ２〜ｔ３として１サイクル当り１時間（Ｔ４）が必要であるとすれば、１日当りの運転サイクル数が１サイクルの場合は、図５に示すよに、（Ｔ４）と（Ｔ２）の和、つまり９時間（Ｔ５）を活性汚泥の沈殿工程と上澄水の排出工程として確保し、バッ気・攪拌工程として１５時間（Ｔ６）費やすことができる。また、１日当りの運転サイクル数が２サイクルの場合は、図６に示すよに、（Ｔ２）／２、つまり４時間と（Ｔ４）の和、つまり５時間（Ｔ５）を活性汚泥の沈殿工程と上澄水の排出工程として各サイクルにおいて確保し、バッ気・攪拌工程として各サイクル毎に７時間（Ｔ６）費やすことができる。さらに、１日当りの運転サイクル数が３サイクルの場合は、上澄水の排出能力を若干向上させて、図７に示すよに、３時間（Ｔ５）を活性汚泥の沈殿工程と上澄水の排出工程として各サイクルにおいて確保し、バッ気・攪拌工程として各サイクル毎に５時間（Ｔ６）費やすことができる。さらにまた、１日当りの運転サイクル数が４サイクルの場合は、図８に示すよに、（Ｔ２）／４、つまり２時間と（Ｔ４）の和、つまり３時間（Ｔ５）を活性汚泥の沈殿工程と上澄水の排出工程として各サイクルにおいて確保し、バッ気・攪拌工程として各サイクル毎に３時間（Ｔ６）費やすことができる。
【０００５】
回分式活性汚泥法においては、回分槽４一槽につき１日当り４サイクル運転とし、図９に示すように、２つの回分槽４，４を使用した２系列４Ａ，４Ｂ処理を標準としており、第１系列４Ａのスタート時間と第２系列４Ｂのスタート時間に、３時間の差をもたせている。たとえば、第１系列４Ａの１サイクル目のスタート時間を０時とすると、２サイクル目のスタート時間は６時、３サイクル目のスタート時間は１２時、４サイクル目のスタート時間は１８時になり、第２系列４Ｂの１サイクル目のスタート時間は３時、２サイクル目のスタート時間は９時、３サイクル目のスタート時間は１５時、４サイクル目のスタート時間は２１時になる。
【０００６】
このような方式によってなされる従来の回分式活性汚泥法において、流量調整槽１に１サイクル分の処理原水量が存在しない場合、つまり、流量調整槽１が１サイクル当りの処理水量に相当する水位に達しない場合には、回分槽１への原水流入開始、すなわち第１系列４Ａまたは第２系列４Ｂのスタート時間を３時間単位で遅らせるステップモードが採用されている。具体的には、図９の０時において１サイクル分の処理原水量が存在しない場合には、図１０のように第１系列４Ａの１サイクル目のスタート時間は３時、２サイクル目のスタート時間は９時、３サイクル目のスタート時間は１５時、４サイクル目のスタート時間は２１時になり、第２系列４Ｂの１サイクル目のスタート時間は６時、２サイクル目のスタート時間は１２時、３サイクル目のスタート時間は１８時、４サイクル目のスタート時間は２４時になる。
【０００７】
ところが、流量調整槽１が１サイクル当りの処理水量に相当する水位に達しない状態は、第１系列４Ａの１サイクル目のスタート時のみに限らず、第２系列４Ｂの１サイクル目のスタート時あるいは両系列４Ａ，４Ｂにおける他のサイクルのスタート時にも起こり得る。したがって、従来のステップモードでは、その都度、スタート時間が３時間単位でずれることになるので、１日の時間帯と第１系列４Ａおよび第２系列４Ｂにおけるサイクル内での現状の処理工程との関係が１サイクルの所用時間に内で変動することになる。特に、ステップモードの実施回数が奇数回であれば、１日の時間帯と第１系列４Ａおよび第２系列４Ｂが実行している各サイクル内での現状の処理工程との関係を特定することが困難で、運転管理が煩雑な欠点を有している。このことは、１つの回分槽４を使用した１系列４Ａのみの処理は勿論のこと、他のサイクル処理においても言える。
【０００８】
【発明が解決しようとする課題】
すなわち、従来のステップモードでは、１日の時間帯とサイクル内での現状の処理工程との関係を特定することが困難で、運転管理が煩雑な点である。
そこで、本発明は、１日の時間帯とサイクル内での現状の処理工程との関係を特定して、運転管理を容易にするとともに、待機する系列を偏らせることなく均等に振り分けることのできる回分式活性汚泥法の運転方法を提供することを目的としたものである。
【０００９】
【課題を解決するための手段】
前記目的を達成するために、本発明は、流量調整槽から回分槽に原水が移送される原水の流入工程と、回分槽内でバッ気・攪拌するバッ気・攪拌工程と、回分槽内での活性汚泥の沈殿工程および上澄水の排出工程を１サイクルとして、１日当り所定のサイクル数で、かつ複数の回分槽を使用した複数の系列によって回分的に連続処理する回分式活性汚泥法において、前記流量調整槽に１サイクル分の処理原水量が存在しない場合に、１サイクルに相当する時間分だけ前記複数の系列を順番に待機させたのち、前記流量調整槽に前記１サイクル分の処理原水量が存在していることを確認して、待機させていた系列をスタートさせることを特徴としたものである。
本発明によれば、流量調整槽に１サイクル分の処理原水量が存在しない場合に、１サイクルに相当する時間分だけ前記前記複数の系列を順番に待機させたのちに、前記流量調整槽に前記１サイクル分の処理原水量が存在していることを確認して、待機させていた系列をスタートさせるようにしているので、１日の時間帯とサイクル内での現状の処理工程との関係を容易に特定できる。また、待機する系列を偏らせることなく均等に振り分けることができる。
【００１０】
【発明の実施の形態】
以下、本発明の一実施の形態を図面に基づいて説明する。図１において、流量調整槽１に流入して来たスクリーニング済みの原水を原水移送ポンプＰによって圧送し、自動細目スクリーン２でスクリーニングしたのち計量槽３に送り込み、計量槽３から必要原水量を回分槽４に移送するとともに、余剰分はオーバフロ通路５より流量調整槽１に還流分配する。回分槽４では、計量槽３から移送された原水をバッ気・攪拌したのち、活性汚泥を沈殿させ上澄水の排出と汚泥の引抜などを回分的に行う。原水移送ポンプＰとしては、１日当りの稼働時間および上澄水の排出時間を８時間とした上で、１日当りの処理水量を超える移送能力をもつものが選定される。また、上澄水は周知の上澄水排出装置６により排出される。
【００１１】
つぎに、回分槽４一槽につき１日当り４サイクル運転とし、図２に示すように、２つの回分槽４，４を使用した２系列４Ａ，４Ｂ処理について説明する。すなわち、第１系列４Ａの１サイクル目のスタート時間を０時とすると、２サイクル目のスタート時間は６時、３サイクル目のスタート時間は１２時、４サイクル目のスタート時間は１８時になり、第２系列４Ｂの１サイクル目のスタート時間は６時、２サイクル目のスタート時間は１２時、３サイクル目のスタート時間は１８時、４サイクル目のスタート時間は２４時（０時）になる。
【００１２】
流量調整槽１に１サイクル分の処理原水量が存在しない場合、つまり、流量調整槽１が１サイクル当りの処理水量に相当する水位に達しない場合には、１サイクルに相当する６時間だけ第１系列４Ａを待機させたのち、流量調整槽１に１サイクル分の処理原水量が存在していることを水位計（図示省略）などによって確認して、待機させていた第１系列４Ａをスタートさせる。すなわち第１系列４Ａまたは第２系列４Ｂのスタート時間を１サイクルに相当する６時間単位で遅らせる。具体的には、図２の０時において１サイクル分の処理原水量が存在しない場合には、図３のように第１系列４Ａの１サイクル目のスタート時間は６時、２サイクル目のスタート時間は１２時、３サイクル目のスタート時間は１８時、４サイクル目のスタート時間は２４時（０時）になり、第２系列４Ｂの１サイクル目のスタート時間は１２時、２サイクル目のスタート時間は１８時、３サイクル目のスタート時間は２４時（０時）、４サイクル目のスタート時間は６時になる。
【００１３】
次回、１サイクル分の処理原水量が流量調整槽１に存在しない状態を生じた場合には、１サイクルに相当する６時間だけ第２系列４Ｂを待機させたのち、流量調整槽１に１サイクル分の処理原水量が存在していることを水位計（図示省略）などによって確認して、待機させていた第２系列４Ｂをスタートさせる。以後、１サイクル分の処理原水量が流量調整槽１に存在しない状態を生じるのに応じて、第１系列４Ａと第２系列４Ｂを交互に１サイクルに相当する６時間だけ待機させたのち、流量調整槽１の水位を確認して、待機させていた第１系列４Ａもしくは第２系列４Ｂをスタートさせる。これにより、待機する系列を第１系列４Ａまたは第２系列４Ｂの一方に偏らせることなく、均等に振り分けることができる。
【００１４】
一方、流量調整槽１が１サイクル当りの処理水量に相当する水位に達しない状態は、第１系列４Ａの１サイクル目のスタート時のみに限らず、第２系列４Ｂの１サイクル目のスタート時あるいは両系列４Ａ，４Ｂにおける他のサイクルのスタート時にも起こり得る。しかし、スタート時間が１サイクルの所用時間に相当する６時間単位で交互にずれることになるので、１日の時間帯と第１系列４Ａおよび第２系列４Ｂにおけるサイクル内での現状の処理工程との関係が１サイクルの所用時間に内で変動することはない。したがって、１日の時間帯と第１系列４Ａおよび第２系列４Ｂが実行している各サイクル内での現状の処理工程との関係を特定することができ、運転管理が容易になる。たとえば、４サイクル運転で毎日の運転管理時間が９時であり、この時間に運転を行っておれば、第１系列４Ａおよび第２系列４Ｂともバッ気・攪拌工程から沈殿工程に移行する境界であることを確認でき、毎日の運転管理時間が１２時であり、この時間に運転を行っておれば、第１系列４Ａおよび第２系列４Ｂとも前サイクルから後サイクルに移行する境界であることを確認できるとともに、毎日の運転管理時間が１７時であり、この時間に運転を行っておれば、第１系列４Ａおよび第２系列４Ｂとも排出工程であることを確認できる。
【００１５】
このことは、他のサイクル処理においても言える。すなわち、３サイクル運転で毎日の運転管理時間が９時であり、この時間に運転を行っておれば、第１系列４Ａおよび第２系列４Ｂとも流入、バッ気・攪拌工程であることを確認でき、毎日の運転管理時間が１２時であり、この時間に運転を行っておれば、第１系列４Ａおよび第２系列４Ｂともバッ気・攪拌工程であることを確認できるとともに、毎日の運転管理時間が１７時であり、この時間に運転を行っておれば、第１系列４Ａおよび第２系列４Ｂとも流入、バッ気・攪拌工程であることを確認できる。
【００１６】
また、２サイクル運転で毎日の運転管理時間が９時であり、この時間に運転を行っておれば、第１系列４Ａおよび第２系列４Ｂとも排出工程であることを確認でき、毎日の運転管理時間が１２時であり、この時間に運転を行っておれば、第１系列４Ａおよび第２系列４Ｂとも前サイクルから後サイクルに移行する境界であることを確認できるとともに、毎日の運転管理時間が１７時であり、この時間に運転を行っておれば、第１系列４Ａおよび第２系列４Ｂともバッ気・攪拌工程であることを確認できる。
【００１７】
なお、前記実施の形態では、第１系列４Ａと第２系列４Ｂの２系列で説明しているが、請求項１記載のは発明は、３系列以上の回分処理にも適用可能であり、３系列以上の場合には、流量調整槽１に１サイクル分の処理原水量が存在しない場合、１サイクルに相当する時間分だけ３系列以上の系列を順番に待機させたのち、流量調整槽１に１サイクル分の処理原水量が存在していることを確認して、待機させていた系列をスタートさせればよい。
【００１８】
【発明の効果】
以上説明したように、本発明は、流量調整槽に１サイクル分の処理原水量が存在しない場合に、１サイクルに相当する時間分だけ前記前記複数の系列を順番に待機させたのちに、前記流量調整槽に前記１サイクル分の処理原水量が存在していることを確認して、待機させていた系列をスタートさせるようにしているので、１日の時間帯とサイクル内での現状の処理工程との関係を容易に特定できから運転管理が簡単になる。また、待機する系列を偏らせることなく均等に振り分けることができる。
【図面の簡単な説明】
【図１】回分式活性汚泥法の一実施の形態を示す系統図である。
【図２】２系列による４サイクル／１日の処理工程と処理時間の関係の一例を示す説明図である。
【図３】２系列による４サイクル／１日における１サイクル待機時の処理工程と処理時間の関係の一例を示す説明図である。
【図４】処理工程と処理時間の基本的な関係を示す説明図である。
【図５】１サイクル／１日の処理工程と処理時間の関係を示す説明図である。
【図６】２サイクル／１日の処理工程と処理時間の関係を示す説明図である。
【図７】３サイクル／１日の処理工程と処理時間の関係を示す説明図である。
【図８】４サイクル／１日の処理設備の工程と処理時間の関係を示す説明図である。
【図９】２系列による４サイクル／１日における処理工程と処理時間の関係の一例を示す説明図である。
【図１０】２系列による４サイクル／１日におけるステップモード処理工程と処理時間の関係の一例を示す説明図である。
【符号の説明】
１  流量調整槽
４  回分槽第１系列４Ａ
４Ａ  第１系列
４Ｂ  第２系列
【図１】
0003665668.tif 000002
【図２】
0003665668.tif 000003
【図３】
0003665668.tif 000004
【図４】
0003665668.tif 000005
【図５】
0003665668.tif 000006
【図６】
0003665668.tif 000007
【図７】
0003665668.tif 000008
【図８】
0003665668.tif 000009
【図９】
0003665668.tif 000010
【図１０】
0003665668.tif 000011